(57)【特許請求の範囲】
【請求項１】
申込数に応じて報奨金が給付される商品を購入する複数の購入者の各購入者端末に接続可能であって、申込数条件と報奨金レベルとを対応付けて記憶する報奨金条件テーブルを用いる報奨金見積サーバであって、以下の要素を有することを特徴とする報奨金見積サーバ
（１）複数の購入者端末から、購入者毎の申込数を受信する申込数受信部
（２）受信した購入者毎の申込数を記憶する申込数集計テーブル
（３）総申込数を申込数条件に適用して得られる総申込数による報奨金レベルより有利な次報奨金レベルを判定する総申込数による次報奨金レベル判定部
（４）次報奨金レベルの申込数条件に足りない総申込不足数を算出する総申込不足数算出部
（５）総申込不足数を複数の購入者に分配した購入者分想定不足数を算出する購入者分想定不足数算出部
（６）申込数に購入者分想定不足数を加えた購入者想定申込数を算出する購入者想定申込数算出部
（７）購入者想定申込数を次報奨金レベルに適用して得られる購入者向け想定報奨金見積を算出する購入者向け想定報奨金見積算出部
（８）購入者向け想定報奨金見積を、購入者端末に送信する報奨金見積送信部。
【請求項２】
申込数に応じて報奨金が給付される商品を購入する複数の購入者の各購入者端末に接続可能であって、申込数条件と報奨金レベルとを対応付けて記憶する報奨金条件テーブルを用いる報奨金見積サーバの報奨金見積方法であって、以下の要素を有することを特徴とする報奨金見積方法
（１）複数の購入者端末から、購入者毎の申込数を受信する工程
（２）受信した購入者毎の申込数を記憶する工程
（３）総申込数を申込数条件に適用して得られる総申込数による報奨金レベルより有利な次報奨金レベルを判定する工程
（４）次報奨金レベルの申込数条件に足りない総申込不足数を算出する工程
（５）総申込不足数を複数の購入者に分配した購入者分想定不足数を算出する工程
（６）申込数に購入者分想定不足数を加えた購入者想定申込数を算出する工程
（７）購入者想定申込数を次報奨金レベルに適用して得られる購入者向け想定報奨金見積を算出する工程
（８）購入者向け想定報奨金見積を、購入者端末に送信する工程。
【請求項３】
申込数に応じて報奨金が給付される商品を購入する複数の購入者の各購入者端末に接続可能であって、申込数条件と報奨金レベルとを対応付けて記憶する報奨金条件テーブルを用いる報奨金見積サーバとなるコンピュータに、以下の処理を実行させるためのプログラムを記録したコンピュータ読み取り可能な記録媒体
（１）複数の購入者端末から、購入者毎の申込数を受信する処理
（２）受信した購入者毎の申込数を記憶する処理
（３）総申込数を申込数条件に適用して得られる総申込数による報奨金レベルより有利な次報奨金レベルを判定する処理
（４）次報奨金レベルの申込数条件に足りない総申込不足数を算出する処理
（５）総申込不足数を複数の購入者に分配した購入者分想定不足数を算出する処理
（６）申込数に購入者分想定不足数を加えた購入者想定申込数を算出する処理
（７）購入者想定申込数を次報奨金レベルに適用して得られる購入者向け想定報奨金見積を算出する処理
（８）購入者向け想定報奨金見積を、購入者端末に送信する処理。
【請求項４】
申込数に応じて報奨金が給付される商品を購入する複数の購入者の各購入者端末に接続可能であって、申込数条件と報奨金レベルとを対応付けて記憶する報奨金条件テーブルを用いる報奨金見積サーバとなるコンピュータに、以下の手順を実行させるためのプログラム
（１）複数の購入者端末から、購入者毎の申込数を受信する手順
（２）受信した購入者毎の申込数を記憶する手順
（３）総申込数を申込数条件に適用して得られる総申込数による報奨金レベルより有利な次報奨金レベルを判定する手順
（４）次報奨金レベルの申込数条件に足りない総申込不足数を算出する手順
（５）総申込不足数を複数の購入者に分配した購入者分想定不足数を算出する手順
（６）申込数に購入者分想定不足数を加えた購入者想定申込数を算出する手順
（７）購入者想定申込数を次報奨金レベルに適用して得られる購入者向け想定報奨金見積を算出する手順
（８）購入者向け想定報奨金見積を、購入者端末に送信する手順。
【請求項５】
申込数に応じて正味率が設定される商品を購入する複数の購入者の各購入者端末に接続可能であって、申込数条件と、正味率レベルとを対応付けて記憶する正味率条件テーブルを用いる値引見積サーバであって、以下の要素を有することを特徴とする値引見積サーバ
（１）複数の購入者端末から、購入者毎の申込数を受信する申込数受信部
（２）受信した購入者毎の申込数を記憶する申込数集計テーブル
（３）総申込数を申込数条件に適用して得られる総申込数による正味率レベルより有利な次正味率レベルを判定する総申込数による次正味率レベル判定部
（４）次正味率レベルの申込数条件に足りない総申込不足数を算出する総申込不足数算出部
（５）総申込不足数を複数の購入者に分配した購入者分想定不足数を算出する購入者分想定不足数算出部
（６）申込数に購入者分想定不足数を加えた購入者想定申込数を算出する購入者想定申込数算出部
（７）購入者想定申込数を次正味率レベルに適用して得られる購入者向け想定値引見積を算出する購入者向け想定値引見積算出部
（８）購入者向け想定値引見積を、購入者端末に送信する値引見積送信部。
【請求項６】
申込数に応じて正味率が設定される商品を購入する複数の購入者の各購入者端末に接続可能であって、申込数条件と、正味率レベルとを対応付けて記憶する正味率条件テーブルを用いる値引見積サーバの値引見積方法であって、以下の要素を有することを特徴とする値引見積方法
（１）複数の購入者端末から、購入者毎の申込数を受信する工程
（２）受信した購入者毎の申込数を記憶する工程
（３）総申込数を申込数条件に適用して得られる総申込数による正味率レベルより有利な次正味率レベルを判定する工程
（４）次正味率レベルの申込数条件に足りない総申込不足数を算出する工程
（５）総申込不足数を複数の購入者に分配した購入者分想定不足数を算出する工程
（６）申込数に購入者分想定不足数を加えた購入者想定申込数を算出する工程
（７）購入者想定申込数を次正味率レベルに適用して得られる購入者向け想定値引見積を算出する工程
（８）購入者向け想定値引見積を、購入者端末に送信する工程。
【請求項７】
申込数に応じて正味率が設定される商品を購入する複数の購入者の各購入者端末に接続可能であって、申込数条件と、正味率レベルとを対応付けて記憶する正味率条件テーブルを用いる値引見積サーバとなるコンピュータに、以下の処理を実行させるためのプログラムを記録したコンピュータ読み取り可能な記録媒体
（１）複数の購入者端末から、購入者毎の申込数を受信する処理
（２）受信した購入者毎の申込数を記憶する処理
（３）総申込数を申込数条件に適用して得られる総申込数による正味率レベルより有利な次正味率レベルを判定する処理
（４）次正味率レベルの申込数条件に足りない総申込不足数を算出する処理
（５）総申込不足数を複数の購入者に分配した購入者分想定不足数を算出する処理
（６）申込数に購入者分想定不足数を加えた購入者想定申込数を算出する処理
（７）購入者想定申込数を次正味率レベルに適用して得られる購入者向け想定値引見積を算出する処理
（８）購入者向け想定値引見積を、購入者端末に送信する処理。
【請求項８】
申込数に応じて正味率が設定される商品を購入する複数の購入者の各購入者端末に接続可能であって、申込数条件と、正味率レベルとを対応付けて記憶する正味率条件テーブルを用いる値引見積サーバとなるコンピュータに、以下の手順を実行させるためのプログラム
（１）複数の購入者端末から、購入者毎の申込数を受信する手順
（２）受信した購入者毎の申込数を記憶する手順
（３）総申込数を申込数条件に適用して得られる総申込数による正味率レベルより有利な次正味率レベルを判定する手順
（４）次正味率レベルの申込数条件に足りない総申込不足数を算出する手順
（５）総申込不足数を複数の購入者に分配した購入者分想定不足数を算出する手順
（６）申込数に購入者分想定不足数を加えた購入者想定申込数を算出する手順
（７）購入者想定申込数を次正味率レベルに適用して得られる購入者向け想定値引見積を算出する手順
（８）購入者向け想定値引見積を、購入者端末に送信する手順。
【発明の詳細な説明】
【技術分野】
【０００１】
本発明は、申込量に基づく報奨金や正味率により購入者に利益を返還する慣習に対応する申込量調整サーバに係り、複数の購入者が共同で発注する際の発注量の調整を容易にし、効率的に報奨金や値引を確保し、これらの公平な分配を可能とする申込量調整サーバに関する。
【背景技術】
【０００２】
書籍の取引において、出版社が申込数に応じて段階的な報奨金レベルを設定し、申込数を乗じた報奨金を購入者である書店に支払う慣習がある。
【０００３】
しかし、有利な報奨金レベルに達するためには、大量に発注しなければならず、出版社の意図どおりに大量発注する書店は限られている。複数の書店が連携して共同で発注する場合であっても、申込数の調整は困難であり、報奨金の分配も各書店が納得するようにすることは難しい。
【０００４】
報奨金制度と同様の趣旨で、申込数に応じて段階的な正味率を乗じて取引する慣習もあるが、同様の課題がある。
【０００５】
尚、出願人は特許を受けようとする発明に関連する発明に係る公知の文献を知得していない。
【発明の開示】
【発明が解決しようとする課題】
【０００６】
本発明は、上記した従来技術の欠点を除くためになされたものであって、その目的とするところは、複数の購入者が共同で発注する際の申込量の調整を容易にし、効率的に報奨金や値引を確保し、これらの公平な分配を可能とする技術を提供することを課題とする。
【課題を解決するための手段】
【０００７】
本発明に係る報奨金見積サーバは、
申込数に応じて報奨金が給付される商品を購入する複数の購入者の各購入者端末に接続可能であって、申込数条件と、報奨金レベルとを対応付けて記憶する報奨金条件テーブルを用いる報奨金見積サーバであって、以下の要素を有することを特徴とする
（１）複数の購入者端末から、購入者毎の申込数を受信する申込数受信部
（２）受信した購入者毎の申込数を記憶する申込数集計テーブル
（３）購入者申込数を申込数条件に適用して得られる購入者申込数による報奨金レベルと、総申込数を申込数条件に適用して得られる総申込数による報奨金レベルの間に、購入者向け報奨金レベルを設定する購入者向け報奨金レベル設定部
（４）購入者向け報奨金レベルに、購入者申込数を適用して購入者向け報奨金見積を算出する購入者向け報奨金見積算出部
（５）購入者向け報奨金見積を、購入者端末に送信する報奨金見積送信部。
【０００８】
購入者向け報奨金レベル設定部は、所定の比率に従って、購入者申込数による報奨金レベルと、総申込数による報奨金レベルの間の購入者向け報奨金レベルを算出することを特徴とする。
【０００９】
上記報奨金見積サーバは、更に、
総申込数による報奨金レベルより有利な次報奨金レベルを判定する総申込数による次報奨金レベル判定部と、
次報奨金レベルの申込数条件に足りない総申込不足数を算出する総申込不足数算出部と、
総申込不足数を複数の購入者に分配した購入者分想定不足を算出する数算出部と、
申込数に購入者分想定不足を加えた購入者想定申込数を算出する購入者想定申込数算出部と、
購入者想定申込数を次報奨金レベルに適用して得られる購入者向け想定報奨金見積を算出する購入者向け想定報奨金見積算出部とを有し、
報奨金見積送信部は、更に、購入者向け想定報奨金見積を、購入者端末に送信することを特徴とする。
【００１０】
本発明に係る報奨金見積方法は、
申込数に応じて報奨金が給付される商品を購入する複数の購入者の各購入者端末に接続可能であって、申込数条件と報奨金レベルとを対応付けて記憶する報奨金条件テーブルを用いる報奨金見積サーバの報奨金見積方法であって、以下の要素を有することを特徴とする
（１）複数の購入者端末から、購入者毎の申込数を受信する工程
（２）受信した購入者毎の申込数を記憶する工程
（３）購入者申込数を申込数条件に適用して得られる購入者申込数による報奨金レベルと、総申込数を申込数条件に適用して得られる総申込数による報奨金レベルの間に、購入者向け報奨金レベルを設定する工程
（４）購入者向け報奨金レベルに、購入者申込数を適用して購入者向け報奨金見積を算出する工程
（５）購入者向け報奨金見積を、購入者端末に送信する工程。
【００１１】
本発明に係るプログラムを記録したコンピュータ読み取り可能な記録媒体は、
申込数に応じて報奨金が給付される商品を購入する複数の購入者の各購入者端末に接続可能であって、申込数条件と報奨金レベルとを対応付けて記憶する報奨金条件テーブルを用いる報奨金見積サーバとなるコンピュータに、以下の処理を実行させるためのプログラムを記録したコンピュータ読み取り可能な記録媒体であることを特徴とする
（１）複数の購入者端末から、購入者毎の申込数を受信する処理
（２）受信した購入者毎の申込数を記憶する処理
（３）購入者申込数を申込数条件に適用して得られる購入者申込数による報奨金レベルと、総申込数を申込数条件に適用して得られる総申込数による報奨金レベルの間に、購入者向け報奨金レベルを設定する処理
（４）購入者向け報奨金レベルに、購入者申込数を適用して購入者向け報奨金見積を算出する処理
（５）購入者向け報奨金見積を、購入者端末に送信する処理。
【００１２】
本発明に係るプログラムは、
申込数に応じて報奨金が給付される商品を購入する複数の購入者の各購入者端末に接続可能であって、申込数条件と報奨金レベルとを対応付けて記憶する報奨金条件テーブルを用いる報奨金見積サーバとなるコンピュータに、以下の手順を実行させるためのプログラムであることを特徴とする
（１）複数の購入者端末から、購入者毎の申込数を受信する手順
（２）受信した購入者毎の申込数を記憶する手順
（３）購入者申込数を申込数条件に適用して得られる購入者申込数による報奨金レベルと、総申込数を申込数条件に適用して得られる総申込数による報奨金レベルの間に、購入者向け報奨金レベルを設定する手順
（４）購入者向け報奨金レベルに、購入者申込数を適用して購入者向け報奨金見積を算出する手順
（５）購入者向け報奨金見積を、購入者端末に送信する手順。
【００１３】
本発明に係る値引見積サーバは、
申込数に応じて正味率が設定される商品を購入する複数の購入者の各購入者端末に接続可能であって、申込数条件と、正味率レベルとを対応付けて記憶する正味率条件テーブルを用いる値引見積サーバであって、以下の要素を有することを特徴とする
（１）複数の購入者端末から、購入者毎の申込数を受信する申込数受信部
（２）受信した購入者毎の申込数を記憶する申込数集計テーブル
（３）購入者申込数を申込数条件に適用して得られる購入者申込数による正味率レベルと、総申込数を申込数条件に適用して得られる総申込数による正味率レベルの間に、購入者向け正味率レベルを設定する購入者向け正味率レベル設定部
（４）購入者向け正味率レベルに、購入者申込数を適用して購入者向け値引見積を算出する購入者向け値引見積算出部
（５）購入者向け値引見積を、購入者端末に送信する値引見積送信部。
【００１４】
本発明に係る値引見積方法は、
申込数に応じて正味率が設定される商品を購入する複数の購入者の各購入者端末に接続可能であって、申込数条件と、正味率レベルとを対応付けて記憶する正味率条件テーブルを用いる値引見積サーバの値引見積方法であって、以下の要素を有することを特徴とする
（１）複数の購入者端末から、購入者毎の申込数を受信する工程
（２）受信した購入者毎の申込数を記憶する工程
（３）購入者申込数を申込数条件に適用して得られる購入者申込数による正味率レベルと、総申込数を申込数条件に適用して得られる総申込数による正味率レベルの間に、購入者向け正味率レベルを設定する工程
（４）購入者向け正味率レベルに、購入者申込数を適用して購入者向け値引見積を算出する工程
（５）購入者向け値引見積を、購入者端末に送信する工程。
【００１５】
本発明に係るプログラムを記録したコンピュータ読み取り可能な記録媒体は、
申込数に応じて正味率が設定される商品を購入する複数の購入者の各購入者端末に接続可能であって、申込数条件と、正味率レベルとを対応付けて記憶する正味率条件テーブルを用いる値引見積サーバとなるコンピュータに、以下の処理を実行させるためのプログラムを記録したコンピュータ読み取り可能な記録媒体であることを特徴とする
（１）複数の購入者端末から、購入者毎の申込数を受信する処理
（２）受信した購入者毎の申込数を記憶する処理
（３）購入者申込数を申込数条件に適用して得られる購入者申込数による正味率レベルと、総申込数を申込数条件に適用して得られる総申込数による正味率レベルの間に、購入者向け正味率レベルを設定する処理
（４）購入者向け正味率レベルに、購入者申込数を適用して購入者向け値引見積を算出する処理
（５）購入者向け値引見積を、購入者端末に送信する処理。
【００１６】
本発明に係るプログラムは、
申込数に応じて正味率が設定される商品を購入する複数の購入者の各購入者端末に接続可能であって、申込数条件と、正味率レベルとを対応付けて記憶する正味率条件テーブルを用いる値引見積サーバとなるコンピュータに、以下の手順を実行させるためのプログラムであることを特徴とする
（１）複数の購入者端末から、購入者毎の申込数を受信する手順
（２）受信した購入者毎の申込数を記憶する手順
（３）購入者申込数を申込数条件に適用して得られる購入者申込数による正味率レベルと、総申込数を申込数条件に適用して得られる総申込数による正味率レベルの間に、購入者向け正味率レベルを設定する手順
（４）購入者向け正味率レベルに、購入者申込数を適用して購入者向け値引見積を算出する手順
（５）購入者向け値引見積を、購入者端末に送信する手順。
【発明の効果】
【００１７】
各書店の申込数を総申込数による報奨金レベルに適用し、得られる報奨金の一定割合を仲介者の手数料とすると、単独で発注した場合の報奨金より少なくなるという逆転現象が生じることがあるが、本サーバのように、単独で発注した場合の報奨金と、総申込数による報奨金レベルに適用した場合の報奨金の間に、書店向け報奨金を設定することにより、逆転現象は生じなくなり、仲介者と各購入者との公平な報奨金の分配が可能になる。
【００１８】
次報奨金レベルを想定し、適切に不足数を分配するとともに、次報奨金レベルに達した場合の見積を行うので、公平性が担保された上で、効用が明確になり申込数の調整が円滑に行われるようになる。
【００１９】
正味率に関しても、同様の効果がある。
【発明を実施するための最良の形態】
【００２０】
実施の形態１．
以下本発明を図面に示す実施例に基づいて説明する。
【００２１】
報奨金見積サーバはインターネットを介して書店側端末（購入者端末の例）に接続できるように構成されている。また、複数の書店からの申込を取りまとめる仲介者は、仲介者側装置を介して報奨金見積サーバから各種情報を入出力することができる。仲介者側装置としては、報奨金見積サーバのコンソールや、インターネットを介して接続する仲介者側端末などが考えられる。報奨金見積サーバは、申込量調整サーバの例である。
【００２２】
まず、書店側端末に書籍購入申込の為の申込画面を出力し、申込数を入力する申込画面処理について説明する。
【００２３】
図１は、報奨金見積サーバのうち申込画面処理に係る構成を示す図である。
【００２４】
１は、書籍管理テーブル、２は、報奨金条件テーブル、３は、申込数集計テーブル、４は、書店認証部、５は、申込書籍リスト入力部、６は、申込書籍リスト記憶部、７は、申込画面生成部、８は、申込画面送信部、９は、申込数受信部、１０は、申込数集計部である。
【００２５】
図２は、書籍管理テーブルの構成例を示す図である。書籍毎にレコードが設けられ、ＩＳＢＮ、書籍名、価格、報奨金条件ＩＤ、出版社の項目を有している。ＩＳＢＮは商品コードの例であり、書籍名は、商品名の例であり、出版社は、提供者の例である。
【００２６】
図３は、報奨金条件テーブルの構成例を示す図である。報奨金条件毎にテーブルを有し、報奨金条件ＩＤによりテーブルを特定できる。条件が適用される期間についても記憶している。申込数条件の満たす申込数に対して、対応する報奨金レベルが適用されることを示している。この報奨金条件は、出版社が提供する条件である。
【００２７】
図４は、申込数集計テーブルの構成例を示す図である。書籍毎にレコードが設けられ、書店毎の申込数を記憶し、総申込数も記憶するように構成されている。
【００２８】
図５は、申込画面の例を示す図である。書籍毎に、報奨金条件を含む関連情報を参照して、申込数を入力するように構成されている。
【００２９】
図６は、申込画面処理フローを示す図である。書店認証部４は、書店側端末から、書店コードとパスワードを受信し、書店認証処理を行う（Ｓ６０１）。
【００３０】
認証に成功すると、申込書籍リスト入力部５が起動され、申込書籍リストを受信する（Ｓ６０２）。申込書籍リストには、複数のＩＳＢＮが含まれている。ＩＳＢＮにより書籍を識別することができる。
【００３１】
受信した申込書籍リストは、申込書籍リスト記憶部６に記憶される（Ｓ６０３）。
【００３２】
申込書籍リストの書籍毎に、以下の処理を繰り返す（Ｓ６０４）。申込画面生成部７は、申込画面生成処理（Ｓ６０５）を行う。生成された申込画面は、申込画面送信部８により書店側端末に送信される（Ｓ６０６）。
【００３３】
その後、申込画面からの情報の受信を待つ（Ｓ６０７）。「決定」の選択の情報を受信した場合には（Ｓ６０８）、併せて申込数を受信する（Ｓ６０９）。申込数集計部１０は、申込数集計テーブル３に書店コードにより特定される書店に対応する書店申込数として記憶し、更に各書店申込数を読み込んで、集計し総申込数を更新する（Ｓ６１０）。その後、次の書籍についての処理に移行する。
【００３４】
「次へ」の選択の情報を受信した場合には（Ｓ６１２）、申込数に関する処理を行わずに、次の書籍についての処理に移行する。
【００３５】
申込書籍リストのすべての書籍について処理した場合（Ｓ６１１）、あるいは、「取消」の選択の情報を受信した場合（Ｓ６１３）に終了する。
【００３６】
Ｓ６０４の申込画面生成処理について詳述する。
【００３７】
図７は、申込画面生成処理フローを示す図である。書籍管理テーブル１から、ＩＳＢＮに対応する書籍名、価格、出版社を取得する（Ｓ７０１）。さらに、報奨金条件ＩＤも取得し（Ｓ７０２）、報奨金条件テーブル２から報奨金条件ＩＤに対応する期間、申込数条件と報奨金レベルの組合わせを取得する（Ｓ７０３，Ｓ７０４）。これらの情報により、申込画面を生成する（Ｓ７０５）。
【００３８】
次に、報奨金見積サーバから仲介者側装置に申込状況を出力する申込集計画面処理について説明する。
【００３９】
図８は、報奨金見積サーバのうち申込集計画面処理に係る構成を示す図である。
２１は、申込集計画面生成部、２２は、総申込数による報奨金レベル判定部、２３は、総申込数による次報奨金レベル判定部、２４は、総申込不足数算出部、２５は、申込集計画面出力部である。
【００４０】
図９は、申込集計画面の例を示す図である。書店毎の書店申込数と、総申込数の他に、総申込数による報奨金レベル、総申込数による次報奨金レベル、総申込不足数を含んでいる。次報奨金レベルは、現状の報奨金レベルよりも一段有利な報奨金レベルのことであり、総申込不足数は、次報奨金レベルに達するために必要な総申込数の不足分のことである。
【００４１】
図１０は、申込集計画面処理フローを示す図である。書籍管理テーブルの書籍毎に、申込集計画面生成部２１による申込集計画面生成処理（Ｓ１００２）、申込集計画面出力部２５による申込集計画面の出力（Ｓ１００３）を繰り返す（Ｓ１００１）。
【００４２】
書籍管理テーブルのすべての書籍について処理した場合（Ｓ１００５）、あるいは、「取消」の入力があった場合（Ｓ１００６）に終了する。
【００４３】
図１１は、申込集計画面生成処理フローを示す図である。申込集計画面生成部２１は、書籍管理テーブル１からＩＳＢＮ、書籍名、価格、出版社、報奨金条件ＩＤを取得する（Ｓ１１０１）。報奨金条件テーブル２から報奨金条件ＩＤに対応する期間を取得する（Ｓ１１０２）。さらに、申込数集計テーブル３から各書店申込数と、総申込数を取得する（Ｓ１１０３，Ｓ１１０４）。
【００４４】
総申込数による報奨金レベル判定部２２は、報奨金条件テーブル２から、総申込数が該当する申込数条件に対応する報奨金レベルを、総申込数による報奨金レベルとして取得する（Ｓ１１０５）。
【００４５】
総申込数による次報奨金レベル判定部２３は、総申込数による報奨金レベルより一段有利な報奨金レベルを、総申込数による次報奨金レベルとして取得する（Ｓ１１０６）。
【００４６】
総申込不足数算出部２４は、総申込数による次報奨金レベルに対応する申込数条件から次報奨金レベルに必要な最低申込数を求め、次報奨金レベルに必要な最低申込数−総申込数を算出し、総申込不足数を得る（Ｓ１１０７）。
【００４７】
申込集計画面生成部２１は、上述に処理により求めた情報に基づいて、申込集計画面を生成する（Ｓ１１０８）。
【００４８】
各書店に対して申込数に応じた報奨金見積を提示する画面を送信し、申込数の修正を促す報奨金見積画面処理について説明する。
【００４９】
図１２は、報奨金見積サーバのうち報奨金見積画面処理に係る構成を示す図である。３１は、報奨金見積画面生成部、３２は、報奨金見積画面送信部、３３は、修正申込数受信部、３４は、申込数再集計部である。
【００５０】
図１３は、報奨金見積画面の例を示す図である。書店申込数による報奨金は、書店申込数を適用した場合の報奨金である。書店向け報奨金レベルは、書店申込数による報奨金レベルと総申込数による報奨金レベルの間で、新たに提示される報奨金レベルである。書店向け報奨金レベルを提示することによって、仲介者が各書店の発注数を取りまとめて発注することにより余分に得られる報奨金増額分について、仲介者の取り次ぎ手数料を差し引いて、改めて書店に還元される書店分の基礎が明確になる。
【００５１】
書店向け次報奨金レベルは、書店申込数による報奨金レベルと総申込数による次報奨金レベルの間で、新たに提示される報奨金レベルである。書店分想定不足数は、総申込不足数を書店に割り振った不足数である。書店向け想定報奨金見積は、書店申込数に書店分想定不足数を加えた書店想定申込数に、書店向け次報奨金レベルを適用することによって得られる報奨金見積である。
【００５２】
図１４は、報奨金見積画面処理フローを示す図である。前述同様に書店認証処理し（Ｓ１４０１）、報奨金見積画面生成部３１は、申込書籍リストを取得する（Ｓ１４０２）。申込書籍リストの書籍毎に、報奨金見積画面生成処理（Ｓ１４０４）と、報奨金見積画面の送信（Ｓ１４０５）の処理を繰り返す（Ｓ１４０３）。
【００５３】
その後、報奨金見積画面からの情報の受信を待つ（Ｓ１４０６）。「決定」の選択の情報を受信した場合には（Ｓ１４０７）、併せて修正申込数を受信する（Ｓ１４０８）。申込数再集計部３４は、申込数集計テーブル３に書店コードにより特定される書店に対応する書店申込数として記憶し、更に各書店申込数を読み込んで、集計し総申込数を更新する（Ｓ１４０９）。その後、次の書籍についての処理に移行する。
【００５４】
「次へ」の選択の情報を受信した場合には（Ｓ１４１１）、修正申込数に関する処理を行わずに、次の書籍についての処理に移行する。
【００５５】
申込書籍リストのすべての書籍について処理した場合（Ｓ１４１０）、あるいは、「取消」の選択の情報を受信した場合（Ｓ１４１２）に終了する。
【００５６】
報奨金見積画面生成処理について、３段階に分けて詳述する。
【００５７】
図１５は、報奨金見積画面生成処理のうち書店申込数による報奨金の算出に関する構成を示す図である。３１は、報奨金見積画面生成部、４１は、書店申込数による報奨金レベル判定部、４２は、書店申込数による報奨金算出部である。
【００５８】
図１６は、報奨金見積画面生成処理のうち書店申込数による報奨金の算出までの処理フローを示す図である。
【００５９】
報奨金見積画面生成部３１は、書籍管理テーブル１からＩＳＢＮに対応する書籍名、価格、出版社を取得する（Ｓ１６０１）。さらに、報奨金条件ＩＤを取得し（Ｓ１６０２）、報奨金条件テーブル２から期間を取得する（Ｓ１６０３）。申込数集計テーブル３からは、ＩＳＢＮと書店コードに対応する書店申込数を取得する（Ｓ１６０４）。
【００６０】
書店申込数による報奨金レベル判定部４１は、書店申込数に適合する申込数条件から書店申込数による報奨金レベルを判定する（Ｓ１６０５）。
【００６１】
書店申込数による報奨金算出部４２は、書店申込数×書店申込数による報奨金レベルを算出し、書店申込数による報奨金を得る（Ｓ１６０６）。
【００６２】
図１７は、報奨金見積画面生成処理のうち書店向け報奨金見積の算出に関する構成を示す図である。３１は、報奨金見積画面生成部、５１は、総申込数による報奨金レベル判定部、５２は、書店向け報奨金レベル算出部、５３は、書店向け報奨金見積算出部、５４は、分配率記憶部である。
【００６３】
図１８は、報奨金見積画面生成処理のうち書店向け報奨金見積の算出までの処理フローを示す図である。総申込数による報奨金レベル判定部５１は、総申込数を取得し、（Ｓ１８０１）総申込数が適合する申込数条件から総申込数による報奨金レベルを判定する（Ｓ１８０２）。
【００６４】
書店向け報奨金レベル算出部５２は、書店申込数による報奨金レベル判定部４１から書店申込数による報奨金レベルを取得し、（総申込数による報奨金レベル×Ｎ＋書店申込数による報奨金レベル×Ｍ）／Ｎ＋Ｍ）を算出し、書店向け報奨金レベルを得る（Ｓ１８０３）。ＮとＭの値は、予め仲介者装置から設定され、分配率記憶部に記憶するように構成されている。書店向け報奨金レベル算出部５２は、分配率記憶部からＮとＭの値を読み込んで動作する。余分に得られる報奨金増額分について、仲介者の取り次ぎ手数料の割合をＭ／（Ｎ＋Ｍ）により設定することができる。一方、Ｎ／（Ｎ＋Ｍ）は、書店の増加分の割合となる。つまり、正の値ＮとＭを用いて重み付けをしている。
【００６５】
書店向け報奨金見積算出部５３は、書店申込数を取得し、書店申込数×書店向け報奨金レベルを算出し、書店向け報奨金見積を得る（Ｓ１８０４）。
【００６６】
図１９は、報奨金見積画面生成処理のうち書店向け想定報奨金見積の算出に関する構成を示す図である。３１は、報奨金見積画面生成部、６１は、総申込数による次報奨金レベル判定部、６２は、書店向け次報奨金レベル算出部、６３は、総申込不足数算出部、６４は、書店分想定不足数算出部、６５は、書店想定申込数算出部、６６は、書店向け想定報奨金見積算出部である。
【００６７】
図２０は、報奨金見積画面生成処理のうち書店向け想定報奨金見積の算出までの処理フローを示す図である。総申込数による次報奨金レベル判定部６１は、総申込数による報奨金レベル判定部５１から総申込数による報奨金レベルを取得し、報奨金条件テーブル２に基づいて、一段有利な総申込数による次報奨金レベルを取得する（Ｓ２００１）。
【００６８】
書店向け次報奨金レベル算出部６２は、書店申込数による報奨金レベル判定部４１から書店申込数による報奨金レベルを取得し、（総申込数による次報奨金レベル×Ｎ＋書店申込数による報奨金レベル×Ｍ）／Ｎ＋Ｍ）を算出し、書店向け次報奨金レベルを得る（Ｓ２００２）。ＭとＮの値は、前述の通り予め記憶してある分配率記憶部から読み込む。
【００６９】
総申込不足数算出部６３は、申込数条件を取得し、次報奨金レベルに必要な最低申込数を特定する。更に、総申込数を取得し、次報奨金レベルに必要な最低申込数−総申込数を算出することにより、総申込不足数を得る（Ｓ２００３）。
【００７０】
書店分想定不足数算出部６４は、書店申込数と総申込数を取得し、総申込不足数×書店申込数／総申込数を算出し、書店分想定不足数を得る（Ｓ２００４）。このように算出することにより、均等の割合で割り増し分を配分することができる。
【００７１】
書店想定申込数算出部６５は、書店申込数を取得し、書店分想定不足数＋書店申込数を算出することにより、書店想定申込数を得る（Ｓ２００５）。
【００７２】
書店向け想定報奨金見積算出部６６は、先に算出した書店向け次報奨金レベルを用いて、書店想定申込数×書店向け次報奨金レベルを算出し、書店向け想定報奨金見積を得る（Ｓ２００６）。
【００７３】
報奨金見積画面生成部３１は、上述の処理に得られたパラメータを用いて、報奨金見積画面を生成する（Ｓ２００７）。
【００７４】
実施の形態２．
本実施の形態では、申込数数により段階的に変動する正味率に基づいて、取りまとめて発注した場合の値引見積を提示する値引見積サーバについて説明する。値引見積サーバは、申込量調整サーバの例であり、報奨金見積サーバと同様に利用者側端末や仲介者側装置との接続関係を有している。
【００７５】
図２１は、値引見積サーバのうち申込画面処理に係る構成を示す図である。１０１は、書籍管理テーブル、１０２は、正味率条件テーブル、１０３は、申込数集計テーブル、１０４は、書店認証部、１０５は、申込書籍リスト入力部、１０６は、申込書籍リスト記憶部、１０７は、申込画面生成部、１０８は、申込画面送信部、１０９は、申込数受信部、１１０は、申込数集計部である。
【００７６】
図２２は、値引見積サーバの書籍管理テーブルの構成例を示す図である。図２における報奨金条件ＩＤ２０４に代えて、正味率条件ＩＤ２２０４の項目を設けている。
【００７７】
図２３は、値引見積サーバの正味率条件テーブルの構成例を示す図である。正味率条件ＩＤに対応つけられ、図３の報奨金レベル３０４に代えて、正味率レベル２３０４を項目としている。
【００７８】
図２４は、値引見積サーバの申込数集計テーブルの構成例を示す図である。図４と同様の構成である。
【００７９】
申込画面処理フローは、図６と同様でる。
【００８０】
図２５は、値引見積サーバの申込画面生成処理フローを示す図である。図７の報奨金条件ＩＤの取得（Ｓ７０２）に代えて、正味率条件ＩＤを取得し（Ｓ２５０２）、以下、正味率条件ＩＤを用いる。申込数条件と報奨金レベルの組合わせの取得（Ｓ７０４）に代えて、申込数条件と正味率レベルの組合わせを取得し（Ｓ２５０４）、これを用いる。
【００８１】
上述の処理により申込画面が表示される。図２６は、値引見積サーバの申込画面の例を示す図である。
【００８２】
図２７は、値引見積サーバのうち申込集計画面処理に係る構成を示す図である。１２１は、申込集計画面生成部、１２２は、総申込数による正味率レベル判定部、１２３は、総申込数による次正味率レベル判定部、１２４は、総申込不足数算出部、１２５は、申込集計画面出力部である。
【００８３】
申込集計画面処理フローは、図１０と同様である。
【００８４】
図２８は、値引見積サーバの申込集計画面生成処理フローを示す図である。図１１のＳ１１０１に代えて、Ｓ２８０１では、正味率条件ＩＤを取得し、これを用いる。Ｓ２８０５〜Ｓ２８０７では、報奨金レベルに代えて、正味率レベルを用いる。
【００８５】
図２９は、申込集計画面の例を示す図である。
【００８６】
図３０は、値引見積サーバのうち値引見積画面処理に係る構成を示す図である。１３１は、値引見積画面生成部、１３２は、値引見積画面送信部、１３３は、修正申込数受信部、１３４は、申込数再集計部である。
【００８７】
図３１は、値引見積画面処理フローを示す図である。図１４の処理フローに代えて、値引見積画面を生成し、送信する（Ｓ３１０４，Ｓ３１０５）。
【００８８】
図３２は、値引見積画面生成処理のうち書店申込数による値引の算出に関する構成を示す図である。１３１は、値引見積画面生成部、１４１は、書店申込数による正味率レベル判定部、１４２は、書店申込数による値引算出部である。
【００８９】
図３３は、値引見積画面生成処理のうち書店申込数による値引の算出までの処理フローを示す図である。図１６の処理に代えて、正味率条件ＩＤを用い（Ｓ３３０２）、正味率レベルを用いる（Ｓ３３０５）。書店申込数による値引算出部１４２は、価格を取得し、書店申込数×（１−書店申込数による正味率レベル）×価格を算出することにより、書店申込数による値引を算出する（Ｓ３３０６）。
【００９０】
図３４は、値引見積画面生成処理のうち書店向け値引見積の算出に関する構成を示す図である。１３１は、値引見積画面生成部、１５１は、総申込数による正味率レベル判定部、１５２は、書店向け正味率レベル算出部、１５３は、書店向け値引見積算出部、１５４は、分配率記憶部である。
【００９１】
図３５は、値引見積画面生成処理のうち書店向け値引見積の算出までの処理フローを示す図である。図１８の処理に代えて、正味率レベルを用いる。書店向け値引見積算出部１５３は、書店申込数×（１−書店向け正味率レベル）×価格を算出することにより、書店向け値引見積を得る（Ｓ３５０４）。
【００９２】
図３６は、値引見積画面生成処理のうち書店向け想定値引見積の算出に関する構成を示す図である。１６１は、総申込数による次正味率レベル判定部、１６２は、書店向け次正味率レベル算出部、１６３は、総申込不足数算出部、１６４は、書店分想定不足数算出部、１６５は、書店想定申込数算出部、１６６は、書店向け想定値引見積算出部である。
【００９３】
図３７は、値引見積画面生成処理のうち書店向け想定値引見積の算出までの処理フローを示す図である。図２０の処理に代えて、正味率レベルを用いる。書店向け想定値引見積算出部１６６は、書店想定申込数×（１−書店向け次正味率レベル）×価格を算出することにより、書店向け想定値引見積を得る（Ｓ３７０６）。
【００９４】
このようにして値引見積画面が表示される。図３８は、値引見積画面の例を示す図である。
【００９５】
報奨金見積サーバ及び値引見積サーバは、コンピュータであり、各要素はプログラムにより処理を実行することができる。また、プログラムを記憶媒体に記憶させ、記憶媒体からコンピュータに読み取られるようにすることができる。
【００９６】
報奨金見積サーバ及び値引見積サーバの構成要素を併せ持つように構成し、報奨金レベルの処理と、正味率レベルの処理ともに行ない、報奨金の算出と、値引の算出をともに行うように構成し、これらの処理により得られるパラメータを併せて表示することも有効である。この場合、同様の処理により得られる対となる報奨金見積と値引見積を合わせた値を算出するようにすることも有効である。
【図面の簡単な説明】
【００９７】
【図１】報奨金見積サーバのうち申込画面処理に係る構成を示す図である。
【図２】書籍管理テーブルの構成例を示す図である。
【図３】報奨金条件テーブルの構成例を示す図である。
【図４】申込数集計テーブルの構成例を示す図である。
【図５】申込画面の例を示す図である。
【図６】申込画面処理フローを示す図である。
【図７】申込画面生成処理フローを示す図である。
【図８】報奨金見積サーバのうち申込集計画面処理に係る構成を示す図である。
【図９】申込集計画面の例を示す図である。
【図１０】申込集計画面処理フローを示す図である。
【図１１】申込集計画面生成処理フローを示す図である。
【図１２】報奨金見積サーバのうち報奨金見積画面処理に係る構成を示す図である。
【図１３】報奨金見積画面の例を示す図である。
【図１４】報奨金見積画面処理フローを示す図である。
【図１５】報奨金見積画面生成処理のうち書店申込数による報奨金の算出に関する構成を示す図である。
【図１６】報奨金見積画面生成処理のうち書店申込数による報奨金の算出までの処理フローを示す図である。
【図１７】報奨金見積画面生成処理のうち書店向け報奨金見積の算出に関する構成を示す図である。
【図１８】報奨金見積画面生成処理のうち書店向け報奨金見積の算出までの処理フローを示す図である。
【図１９】報奨金見積画面生成処理のうち書店向け想定報奨金見積の算出に関する構成を示す図である。
【図２０】報奨金見積画面生成処理のうち書店向け想定報奨金見積の算出までの処理フローを示す図である。
【図２１】値引見積サーバのうち申込画面処理に係る構成を示す図である。
【図２２】値引見積サーバの書籍管理テーブルの構成例を示す図である。
【図２３】値引見積サーバの正味率条件テーブルの構成例を示す図である。
【図２４】値引見積サーバの申込数集計テーブルの構成例を示す図である。
【図２５】値引見積サーバの申込画面生成処理フローを示す図である。
【図２６】値引見積サーバの申込画面の例を示す図である。
【図２７】値引見積サーバのうち申込集計画面処理に係る構成を示す図である。
【図２８】値引見積サーバの申込集計画面生成処理フローを示す図である。
【図２９】申込集計画面の例を示す図である。
【図３０】値引見積サーバのうち値引見積画面処理に係る構成を示す図である。
【図３１】値引見積画面処理フローを示す図である。
【図３２】値引見積画面生成処理のうち書店申込数による値引の算出に関する構成を示す図である。
【図３３】値引見積画面生成処理のうち書店申込数による値引の算出までの処理フローを示す図である。
【図３４】値引見積画面生成処理のうち書店向け値引見積の算出に関する構成を示す図である。
【図３５】値引見積画面生成処理のうち書店向け値引見積の算出までの処理フローを示す図である。
【図３６】値引見積画面生成処理のうち書店向け想定値引見積の算出に関する構成を示す図である。
【図３７】値引見積画面生成処理のうち書店向け想定値引見積の算出までの処理フローを示す図である。
【図３８】値引見積画面の例を示す図である。
【符号の説明】
【００９８】
１  書籍管理テーブル、２  報奨金条件テーブル、３  申込数集計テーブル、４  書店認証部、５  申込書籍リスト入力部、６  申込書籍リスト記憶部、７  申込画面生成部、８  申込画面送信部、９  申込数受信部、１０  申込数集計部、２１  申込集計画面生成部、２２  総申込数による報奨金レベル判定部、２３
総申込数による次報奨金レベル判定部、２４  総申込不足数算出部、２５  申込集計画面出力部、３１  報奨金見積画面生成部、３２  報奨金見積画面送信部、３３  修正申込数受信部、３４  申込数再集計部、４１  書店申込数による報奨金レベル判定部、４２  書店申込数による報奨金算出部、５１  総申込数による報奨金レベル判定部、５２  書店向け報奨金レベル算出部、５３  書店向け報奨金見積算出部、５４  分配率記憶部、６１  総申込数による次報奨金レベル判定部、６２  書店向け次報奨金レベル算出部、６３  総申込不足数算出部、６４
書店分想定不足数算出部、６５  書店想定申込数算出部、６６  書店向け想定報奨金見積算出部、１０１  書籍管理テーブル、１０２  正味率条件テーブル、１０３  申込数集計テーブル、１０４  書店認証部、１０５  申込書籍リスト入力部、１０６  申込書籍リスト記憶部、１０７  申込画面生成部、１０８  申込画面送信部、１０９  申込数受信部、１１０  申込数集計部、１２１  申込集計画面生成部、１２２  総申込数による正味率レベル判定部、１２３  総申込数による次正味率レベル判定部、１２４  総申込不足数算出部、１２５  申込集計画面出力部、１３１  値引見積画面生成部、１５１  総申込数による正味率レベル判定部、１５２  書店向け正味率レベル算出部、１５３  書店向け値引見積算出部、１５４  分配率記憶部、１６１  総申込数による次正味率レベル判定部、１６２  書店向け次正味率レベル算出部、１６３  総申込不足数算出部、１６４  書店分想定不足数算出部、１６５  書店想定申込数算出部、１６６  書店向け想定値引見積算出部。
【図１】
0003589663.tif 000002
【図２】
0003589663.tif 000003
【図３】
0003589663.tif 000004
【図４】
0003589663.tif 000005
【図５】
0003589663.tif 000006
【図６】
0003589663.tif 000007
【図７】
0003589663.tif 000008
【図８】
0003589663.tif 000009
【図９】
0003589663.tif 000010
【図１０】
0003589663.tif 000011
【図１１】
0003589663.tif 000012
【図１２】
0003589663.tif 000013
【図１３】
0003589663.tif 000014
【図１４】
0003589663.tif 000015
【図１５】
0003589663.tif 000016
【図１６】
0003589663.tif 000017
【図１７】
0003589663.tif 000018
【図１８】
0003589663.tif 000019
【図１９】
0003589663.tif 000020
【図２０】
0003589663.tif 000021
【図２１】
0003589663.tif 000022
【図２２】
0003589663.tif 000023
【図２３】
0003589663.tif 000024
【図２４】
0003589663.tif 000025
【図２５】
0003589663.tif 000026
【図２６】
0003589663.tif 000027
【図２７】
0003589663.tif 000028
【図２８】
0003589663.tif 000029
【図２９】
0003589663.tif 000030
【図３０】
0003589663.tif 000031
【図３１】
0003589663.tif 000032
【図３２】
0003589663.tif 000033
【図３３】
0003589663.tif 000034
【図３４】
0003589663.tif 000035
【図３５】
0003589663.tif 000036
【図３６】
0003589663.tif 000037
【図３７】
0003589663.tif 000038
【図３８】
0003589663.tif 000039